(57)【要約】      （修正有）【課題】メイン液晶パネル組立て体とサブ液晶パネル組立て体が併せて用いられ、各液晶パネル組立て体を構成する液晶パネルが外力に起因して破損する惧れが低減された構造を有する液晶表示モジュールを提供する。【解決手段】メイン液晶パネル及びバックライトを含むメイン液晶パネル組立て体２と、サブ液晶パネル及びバックライトを含むサブ液晶パネル組立て体３と、各液晶パネルよりも高い剛性を有し、メイン及びサブ液晶パネル組立て体が各々表裏面に保持されたフレーム１と、メイン液晶パネル組立て体とサブ液晶パネル組立て体とを電気的に接続した可撓性接続部とを備え、メイン及びサブ液晶パネルによりフレームの表裏両面において各々表示可能である。【選択図】  図１Ｂ
2004271839.tif 000002
【特許請求の範囲】
【請求項１】
メイン液晶パネル及びバックライトを含むメイン液晶パネル組立て体と、サブ液晶パネル及びバックライトを含むサブ液晶パネル組立て体と、前記メイン及びサブ液晶パネル組立て体が各々表裏面に保持されたフレームと、前記メイン液晶パネル組立て体とサブ液晶パネル組立て体とを電気的に接続した可撓性接続部とを備え、前記メイン及びサブ液晶パネルにより前記フレームの表裏両面において各々表示可能である両面表示用液晶表示モジュール。
【請求項２】
前記フレームは、前記各液晶パネルよりも高い剛性を有する請求項１記載の両面表示用液晶表示モジュール。
【請求項３】
前記フレームが、金属材料または強化樹脂材料を用いて形成された請求項１記載の両面表示用液晶表示モジュール。
【請求項４】
前記メイン液晶パネルとサブ液晶パネルを一体的に駆動する駆動回路を備えた請求項１記載の両面表示用液晶表示モジュール。
【請求項５】
前記フレームは、板状基体と、前記板状基体の両面に各々形成された枠部とを備え、前記メイン液晶パネル組立て体とサブ液晶パネル組立て体が各々前記枠部に装着され保持されている請求項１記載の両面表示用液晶表示モジュール。
【発明の詳細な説明】
【０００１】
【発明の属する技術分野】
本発明は、液晶パネル及びバックライトを各々含む２つの液晶パネル組み立て体を有し、表裏２面で表示可能とした両面表示用液晶表示モジュールに関する。
【０００２】
【従来の技術】
携帯電話では、種々の機能に関連した表示のために液晶表示装置が用いられているが、近年、携帯電話の折り畳み式形態の採用拡大により、１台の携帯電話に２種類の液晶表示装置を設けることが顕著になってきた。すなわち、従来の通常の用途である折り畳みを開いた状態での表示機能を受け持つメイン液晶パネルと、折り畳み時における表示機能を受け持つサブ液晶パネルの併用である。メイン液晶パネルとサブ液晶パネルは、互いに表裏に配置して用いられる。また、携帯電話の軽量化、薄型化に伴い、これに使用される液晶表示装置には、使用される環境下における破損に対する強化が強く要望されている。
【０００３】
従来の液晶表示モジュールは、図３Ａ、Ｂおよび図４に示すような構造を有する。図３Ａは、従来の液晶表示モジュールの構成を示す平面図であり、図３Ｂは、その側面図である。図４は、図３ＡのＢ−Ｂにおける断面図である。この液晶表示モジュールは、液晶パネル３１と、バックライト３２と、可撓性回路基板からなる駆動回路部３３とを備えている。
【０００４】
図４に示されるように、液晶パネル３１は、ガラス基板３４ａ、３４ｂ、その間隙に充填された液晶層（図示せず）、ガラス基板３４ａ、３４ｂの両外側に配置された偏光板３５ａ、３５ｂ等により構成されている。バックライト３２は、樹脂材料（ＰＣ、ＰＭＭＡ等）からなる導光板３６、反射シート３７、拡散シート及びプリズムシートからなる光学的フィルム３８、およびこれらを保持するハウジング３９から構成される。液晶パネル３１はバックライト３２に、粘着材４０によって貼り合わされ固定されている。図示しないが、バックライト３２は導光板３６の端部に蛍光灯等からなる光源を有し、光源からの光を導光板３６の面から放出して液晶パネル３１を照射する。
【０００５】
上記の構造は、例えば特許文献１に記載のように、２組の液晶パネル組立て体を表裏に配置して用いる場合でも、双方の液晶パネル組立て体に共通である。各液晶パネル組立て体は、各々用途に応じて異なる寸法に形成され、それぞれ形態電話のケーシングに対して個別に取り付けられる。また、表裏に配置されたメイン液晶パネル組立て体とサブ液晶パネル組立て体は、各々別個に表示駆動される。
【０００６】
【特許文献１】
特開２００１−２９０４４５号公報
【０００７】
【発明が解決しようとする課題】
液晶パネル組立て体は、材質として強度的に脆弱なガラス基板を主体とする液晶パネルを有しており、携帯電話に内蔵された状態で、使用環境によって加わる外力によりガラス基板（液晶パネル）が破損し易いという問題があった。
【０００８】
本発明は、メイン液晶パネル組立て体とサブ液晶パネル組立て体が併せて用いられ、各液晶パネル組立て体を構成する液晶パネルが外力に起因して破損する惧れが低減された構造を有する液晶表示モジュールを提供することを目的とする。
【０００９】
【課題を解決するための手段】
本発明の両面表示用液晶表示モジュールは、メイン液晶パネル及びバックライトを含むメイン液晶パネル組立て体と、サブ液晶パネル及びバックライトを含むサブ液晶パネル組立て体と、前記メイン及びサブ液晶パネル組立て体が各々表裏面に保持されたフレームと、前記メイン液晶パネル組立て体とサブ液晶パネル組立て体とを電気的に接続した可撓性接続部とを備え、前記メイン及びサブ液晶パネルにより前記フレームの表裏両面において各々表示可能である。
【００１０】
【発明の実施の形態】
本発明の両面表示用液晶表示モジュールでは、メイン液晶パネル組立て体とサブ液晶パネル組立て体は各々、フレームの両面に搭載されるので、中間に位置するフレームが補強材となり、各液晶パネル組立て体に加わる外力に起因する変形が抑制される。従って、液晶パネル組立て体を構成する液晶パネルの破損のおそれが低減される。また、全体を１つのモジュールとして取り扱うことができるので、携帯電話の構成が簡素になり、組み立ても容易である。
【００１１】
前記フレームは、前記各液晶パネルよりも高い剛性を有することが好ましい。上記のようにメイン及びサブ液晶パネルを１つのフレームの両面に取り付けた構造とすれば、この条件を充足しなくとも相応の効果は得られるが、フレームが高い剛性を有する場合、より十分な補強効果が得られる。前記フレームは、ＡＬ、Ｍｇ等の金属材料、または強化樹脂材料を用いて形成されることが好ましい。
【００１２】
上記の構成において、前記メイン液晶パネルとサブ液晶パネルを、一体的に駆動する駆動回路を備えることが好ましい。本発明においては、２つの液晶パネル組立て体が同一のフレームに搭載されるので、液晶パネル間を接続して一体的に駆動するように構成することは容易であり、それにより駆動回路も簡素になる。
【００１３】
また前記フレームは、板状基体と、前記板状基体の両面に各々形成された枠部とを備え、前記メイン液晶パネル組立て体とサブ液晶パネル組立て体が各々前記枠部に装着され保持されている構成とすることができる。
【００１４】
以下に、本発明の実施の形態における両面表示用液晶表示モジュールについて、図面を参照して説明する。図１Ａは、本実施の形態における両面表示用液晶表示モジュールの構成を示す平面図である。図１Ｂは、その側面図、図１Ｃは裏面図である。図２は、図１ＡのＡ−Ａにおける断面図である。
【００１５】
この両面表示用液晶表示モジュールは、フレーム１と、フレーム１の一方の面に搭載されたメイン液晶パネル組立て体２と、他方の面に搭載されたサブ液晶パネル組立て体３とを有する。メイン及びサブ液晶パネル組立て体２、３は、可撓性回路基板からなる接続部４により電気的に接続されている。
【００１６】
メイン液晶パネル組立て体２は、メイン液晶パネル５とバックライト６とを含む。メイン液晶パネル５の端部には、ゲートＬＳＩ７、及びソースＬＳＩ８が形成され、可撓性回路基板からなる駆動回路部９が設けられている。サブ液晶パネル組立て体３は、サブ液晶パネル１０とバックライト１１とを含む。フレーム１は、板状基体１２と、板状基体１２の両面に各々形成されたメイン枠部１３及びサブ枠部１４からなる。メイン枠部１３内にメイン液晶パネル組立て体２が装着、固定され、サブ枠部１４にサブ液晶パネル組立て体３が装着、固定されている。
【００１７】
図２に示すように、メイン液晶パネル５は、電極、色フィルタ等が形成されたガラス基板１５ａ、１５ｂ、その間隙に充填された液晶層（図示せず）、ガラス基板１５ａ、１５ｂの両外面に配置された偏光板１６ａ、１６ｂ等により構成されている。バックライト６は、蛍光灯等からなる光源、樹脂材料（ＰＣ、ＰＭＭＡ等）からなる導光板、反射シート、拡散シート及びプリズムシート等（図示せず）を含むバックライト本体部１７と、これらを保持するハウジング１８から構成される。メイン液晶パネル５はバックライト６に、粘着材１９によって貼り合わされ固定されている。サブ液晶パネル１０は、電極、色フィルタ等が形成されたガラス基板２０ａ、２０ｂ、その間隙に充填された液晶層（図示せず）、ガラス基板２０ａ、２０ｂの両外面に配置された偏光板２１ａ、２１ｂ等により構成されている。バックライト１１は、蛍光灯等からなる光源、樹脂材料（ＰＣ、ＰＭＭＡ等）からなる導光板、反射シート、拡散シート及びプリズムシート等（図示せず）を含むバックライト本体部２２と、これらを保持するハウジング２３から構成される。サブ液晶パネル１０はバックライト１１に、粘着材２４によって貼り合わされ固定されている。以上の構成により、フレーム１の表裏の向きに各々液晶表示が可能となっている。
【００１８】
フレーム１はＡＬ、Ｍｇ等の金属材料により形成され、メイン液晶パネル５、サブ液晶パネル１０を構成するガラス基板１５ａ、１５ｂ、２０ａ、２０ｂよりも高い剛性を有する。フレーム１としては、金属材料と同等の強度を有する強化樹脂材料を用いてもよい。メイン液晶パネル組立て体２とサブ液晶パネル組立て体３が各々、高い剛性を有するフレーム１の両面に搭載されるので、中間に位置するフレーム１が補強材となり、各液晶パネル組立て体２、３に加わる外力に対して変形し難くなる。それにより、メイン液晶パネル５、サブ液晶パネル１０の破損のおそれが低減される。また、全体を１つのモジュールとして取り扱うことができるので、携帯電話の構成が簡素になり、組み立ても容易である。
【００１９】
メイン液晶パネル５とサブ液晶パネル１０は、接続部４により電気的に接続され、ゲートＬＳＩ７、ソースＬＳＩ８、及び駆動回路部９により、一体的に駆動される。したがって駆動が簡単で、小型化された構造が実現される。このような一体的駆動の構成は、本実施の形態においては、２つの液晶パネル組立て体２、３が同一のフレーム１に搭載されることにより、容易に実現可能である。
【００２０】
【発明の効果】
本発明の両面表示用液晶表示モジュールによれば、高い剛性を有するフレームが補強材となり、各液晶パネル組立て体に加わる外力に起因する変形が抑制されて、液晶パネルの破損の惧れが低減される。
【図面の簡単な説明】
【図１Ａ】本発明の実施の形態における両面表示用液晶表示モジュールの平面図
【図１Ｂ】同液晶表示モジュールの側面図
【図１Ｃ】同液晶表示モジュールの下面図
【図２】図１ＣのＡ−Ａにおける矢視断面図
【図３Ａ】従来例の液晶表示モジュールの平面図
【図３Ｂ】同液晶表示モジュールの側面図
【図４】図３ＡのＢ−Ｂにおける矢視断面図
【符号の説明】
１  フレーム
２  メイン液晶パネル組立て体
３  サブ液晶パネル組立て体
４  接続部
５  メイン液晶パネル
６  バックライト
７  ゲートＬＳＩ
８  ソースＬＳＩ
９  駆動回路部
１０  サブ液晶パネル
１１  バックライト
１２  板状基体
１３  メイン枠部
１４  サブ枠部
１５ａ、１５ｂ  ガラス基板
１６ａ、１６ｂ  偏光板
１７  バックライト本体部
１８  ハウジング
１９  粘着材
２０ａ、２０ｂ  ガラス基板
２１ａ、２１ｂ  偏光板
２２  バックライト本体部
２３  ハウジング
２４  粘着材
３１  液晶パネル
３２  バックライト
３３  駆動回路部
３４ａ、３４ｂ  ガラス基板
３５ａ、３５ｂ  偏光板
３６  導光板
３７  反射シート
３８  光学的フィルム
３９  ハウジング
４０  粘着材
【図１Ａ】
2004271839.tif 000003
【図１Ｂ】
2004271839.tif 000004
【図１Ｃ】
2004271839.tif 000005
【図２】
2004271839.tif 000006
【図３Ａ】
2004271839.tif 000007
【図３Ｂ】
2004271839.tif 000008
【図４】
2004271839.tif 000009